(57)【要約】【課題】渦流ファンは、一般的に渦流ポンプや再生ポンプ、渦流ブロワとしてよく知られている流体機械とほぼ同様の動作原理で、より低い圧力と大きい風量の動作点で使用することができるが、低い圧力、低騒音と大きい風量に適した渦流ファンの形状や各部の寸法は、従来の渦流ポンプや再生ポンプ、渦流ブロワとは異なるのであるが、本発明は、このような従来の課題を解決するものであり、低騒音で大きい風量が得られる渦流ファンを提供することを目的としている。【解決手段】空気を流入させる入口ポートを備えたケーシングと、流入した空気を搬送昇圧する複数枚の羽根を有するインペラと、前記ケーシングから流出する空気を排出する出口ポートとを備え、前記入口ポートはストリッパ部によって前記出口ポートから隔離されてなる渦流ファンにおいて、ストリッパ部の入り口コーナー部両側面にアールを設ける。【選択図】図１
2005282578.tif 000002
【特許請求の範囲】
【請求項１】
空気を流入させる入口ポートを備えたケーシングと、流入した空気を搬送昇圧する複数枚の羽根を有するインペラと、前記ケーシングから流出する空気を排出する出口ポートとを備え、前記入口ポートはストリッパ部によって前記出口ポートから隔離されてなる渦流ファンにおいて、ストリッパ部の入り口コーナー部両側面にアールを設けたことを特徴とする渦流ファン。
【発明の詳細な説明】
【技術分野】
【０００１】
本発明は、インペラ外径が１００ｍｍ以下の超小型で低騒音で大風量を発生させられる渦流ファンに関する。
【背景技術】
【０００２】
従来のこの種の渦流ファンは、例えば図７に示すような構成になっている（例えば、特許文献１参照）。
【０００３】
すなわち、同図において、空気を流入させる入口ポート３を備えたケーシング８と、回転時、流入した空気を搬送昇圧する複数枚の羽根１を有するインペラ２と、前記ケーシング８から流出する空気を排出する出口ポート６とを備え、前記入口ポート３はストリッパ部７によって前記出口ポート６から隔離されてなる渦流ファンにおいて、前記入口ポート３から流入した空気は、前記ケーシング８内の流路４に沿って流れる間に、複数枚の羽根１を有するインペラ２の作用で徐々に昇圧され、前記出口ポート６から排出される。そして、このような作用によって、この種の渦流ファンは一般の遠心ファンに比べはるかに高い圧力が得られるとされている。
【０００４】
また、渦流ファンが回転方向を反転させるだけで、流れ方向を反転させられるという特長を持っていることを活かして、空気調和機の換気用ファンとして使用されている（例えば、特許文献２、３、４参照）。
【特許文献１】特開昭５４−４７１１４号公報
【特許文献２】特開２０００−１４６２１９号公報
【特許文献３】特開２０００−１９３２６９号公報
【特許文献４】特開２０００−２４９３６５号公報
【発明の開示】
【発明が解決しようとする課題】
【０００５】
ところで、渦流ファンは、一般的に渦流ポンプや再生ポンプ、渦流ブロワとしてよく知られている流体機械とほぼ同様の動作原理で、より低い圧力と大きい風量の動作点で使用しようとするものであり、その際低騒音をも求めるものである。
【０００６】
このことから、低い圧力、低騒音と大きい風量に適した渦流ファンの形状や各部の寸法は、従来の渦流ポンプや再生ポンプ、渦流ブロワとは異なるのであるが、上記公知例には、その点に関する開示がない。
【０００７】
本発明は、このような従来の課題を解決するものであり、低騒音で大きい風量が得られる渦流ファンを提供することを目的としている。
【課題を解決するための手段】
【０００８】
前記従来の課題を解決するために本発明の渦流ポンプは、ストリッパ部の入り口コーナー両側面にアールを設けたものである。
【０００９】
ここで、渦流ファンの性能と各部寸法の関連について図を用いて説明する。渦流ファンで昇圧が行われる原理については、一般に次のように説明されている。
【００１０】
すなわち、入口ポートから流入した気体は、流路を進行するに従い、インペラ外周端と内周における角運動量の差によって生ずる流動の乱れが漸増し、昇圧および搬送作用が強
まる。
【００１１】
これと同時に、インペラ内の気体は羽根の先端から流路内に放出され、再び羽根根元に帰る流動を起こす。
【００１２】
このような作用は多数の羽根によって同時に行われるから、流路の中において気体の気体の混合と衝撃とが激しくなり、乱れ流動は一層促進される。
【００１３】
その結果、気体の圧力が次第に高まりつつ出口ポートへ送られる。
【００１４】
この動作原理から、昇圧量を増加すべく乱れ流動を促進するためには、インペラと気体の接触面積を増やしたり、羽根の大きさを大きくすることが有効であることが推測される。
【００１５】
一方、渦流ファンの気体搬送に関しては次のようにも考えられる。
【００１６】
すなわち、入口ポートから流入した気体は、最大でもインペラと同じ速度で流路を進行し、出口ポートから出て行くが、このときインペラ内の容積分の気体は、インペラと一緒にストリッパ部を通り抜け、入口ポート側に戻される。
【００１７】
このような見方に立てば、インペラ内部の容積が小さいほど、入口ポート側に戻される風量が少なく、結果的に渦流ファンの回転数に対する風量が増加することになる。
【００１８】
本発明では、インペラの羽根がストリッパ部に入っていく際に、周囲の空気が急激に圧縮され、その圧縮され方が羽根のピッチに同期して変動するため、周波数が回転数×羽根枚数で表されるｎＺ音やその高調波が発生するが、ストリッパ部の入り口コーナー両側面にアールを設けるとき、アールによって周囲の空気が急激に圧縮されず、したがってｎＺ音も耳につかない程度に減衰される。
【発明の効果】
【００１９】
本発明の渦流ポンプは、ストリッパ部の入り口コーナー両側面にアールを設けているため、周囲の空気が急激に圧縮されず、ｎＺ音を耳につかない程度に減衰することができ、送風時の騒音を低減することができる。
【発明を実施するための最良の形態】
【００２０】
第１の発明は、空気を流入させる入口ポートを備えたケーシングと、流入した空気を搬送昇圧する複数枚の羽根を有するインペラと、前記ケーシングから流出する空気を排出する出口ポートとを備え、前記入口ポートはストリッパ部によって前記出口ポートから隔離されてなる渦流ファンにおいて、ストリッパ部の入り口コーナー部両側面にアールを設けたもので、この構成をなすことにより空気の圧縮が急激でなくなり送風時の騒音を低減することができる。
【００２１】
以下、本発明の実施の形態について図面を参照しながら説明する。なお、この実施の形態によって本発明が限定されるものではない。
【００２２】
（実施の形態１）
図１は、本発明の実施形態１を示すものである。同図において、２はインペラで、複数枚の羽根１とその翼間５から構成されている。インペラ２とそれを収納するケーシング８の間には流路４が設けられており、また、ケーシング８には所定の間隔をもって入口ポート３と出口ポート６が配してある。また、前記入口ポート３と前記出口ポート６を隔離し
、空気の漏洩を最小限にするためにストリッパ部７が設けてある。このため、ストリッパ部７の内面は、インペラ２の外面を、できるだけ小さく取ったクリアランスを隔ててなぞるような形態をとっている。このクリアランスは使用目的やコストに応じて決められる。
【００２３】
また、ストリッパ部の前記入口ポート３と前記出口ポート６に対抗する面は、各々、入口ポート３と前記出口ポート６の壁面の一部を構成し、またこの面は、概略インペラ２の内周円の接線を構成している。
【００２４】
前述した動作原理から、渦流ファンでは、昇圧量を増加すべく乱れ流動を促進するためには、インペラ２と気体の接触面積を増やしたり、羽根１の大きさを大きくすることが有効であることが推測される。すなわち、この見方に立てばインペラ２外径をケーシング８内径に対して大きくすれば、羽根１の大きさを大きくすることになり、昇圧量を増加できることが期待できる。
【００２５】
一方、これも前述したように、別の見方に立てば、インペラ２内部の容積が小さいほど、入口ポート３側に戻される風量が少なく、結果的に渦流ファンの回転数に対する風量が増加することになる。すなわち、この見方に立てばインペラ２外径をケーシング８内径に対して小さくすれば、インペラ２内部の容積を小さくすることになり、回転数に対する風量が増加することになる。
【００２６】
ところで、インペラ外径をＤ、インペラの側面からケーシング内側面までの隙間をａ1、インペラ外周からケーシング内径までの隙間をａ2、インペラ幅をｂ、インペラ羽根高さをｂ2とすると、ケーシング内径はＤ＋２ａ2、インペラ内径はＤ−２ｂ2となるが、このとき、ｂ2／（ａ2＋ｂ2）に対する風量の変化を調べたところ、図２に示す結果が得られた。
【００２７】
これによれば、風量は０．７０≦ｂ2／（ａ2＋ｂ2）≦０．８５の範囲において略極大
値を示している。従って、インペラ外径とケーシング内径の関係は、０．７０≦ｂ2／（ａ2＋ｂ2）≦０．８５となるように構成されるのが望ましい。
【００２８】
なお、０．７０＞ｂ2／（ａ2＋ｂ2）の場合には、流路高さａ2＋ｂ2に比してインペラ羽根高さが小さくなりすぎて、乱れ流動の十分な促進が期待できなくなり、ｂ2／（ａ2＋ｂ2）＞０．８５の場合には、インペラ内部の容積が大きくなりすぎ、入口ポート側に戻される風量が多くなって、結果的に渦流ファンの回転数に対する風量が減少することになる。
【００２９】
なお、この特性曲線はインペラ外径Ｄが、６８ｍｍの場合のデータをもとに作成したものであるが、以下の関係は少なくともインペラ外径Ｄが１００ｍｍ以下の範囲では成立することが確かめられている。
【００３０】
また、この点に関しては図３、図４の結果も同様である。
【００３１】
次に、インペラ外径Ｄ、インペラ内径Ｄ−２ｂ2の関係について、（Ｄ−２ｂ2）／Ｄに対する風量の変化を示した図３を基に説明する。
【００３２】
これによれば、風量は０．４０≦（Ｄ−２ｂ2）／Ｄ≦０．５０の範囲において略極大値を示している。従って、インペラ外径とインペラ内径の関係は、０．４０≦（Ｄ−２ｂ2）／Ｄ≦０．５０となるように構成されるのが望ましい。
【００３３】
なお、（Ｄ−２ｂ2）／Ｄ＞０．５０の場合には、インペラ外径に比してインペラ内径
が大きくなりすぎて、羽根が小さくなって乱れ流動の十分な促進が期待できなくなる上、流路高自体も小さくなり、０．４０＞（Ｄ−２ｂ2）／Ｄの場合には、インペラ内外径差が大きくなり過ぎることで、インペラ内外径部の流速差がつき過ぎることによる損失が増大し、結果的に渦流ファンの回転数に対する風量が減少することになる。
【００３４】
次に、インペラ幅ｂ、ケーシング内幅ｂ＋２ａ1の関係について、ｂ／（ｂ＋２ａ1）に対する風量の変化を示した図４を基に説明する。
【００３５】
これによれば、風量は０．２５≦ｂ／（ｂ＋２ａ1）≦０．５０の範囲において略極大値を示している。
【００３６】
従って、インペラ幅とケーシング内幅の関係は、０．２５≦ｂ／（ｂ＋２ａ1）≦０．５０となるように構成されるのが望ましい。
【００３７】
なお、０．２５＞ｂ／（ｂ＋２ａ1）の場合には、ケーシング内幅に比してインペラ幅が小さくなりすぎて、乱れ流動の十分な促進が期待できなくなり、ｂ／（ｂ＋２ａ1）＞０．５０の場合には、インペラ内部の容積が大きくなりすぎ、入口ポート側に戻される風量が多くなって、結果的に渦流ファンの回転数に対する風量が減少することになる。
【００３８】
次に、ストリッパ部７について説明する。ストリッパ部７は、本実施例では図１に示すように概略トンネル状をしている。
【００３９】
入口ポート３から流入した空気は、インペラ２とともに回転して、ストリッパ部７の入口部７ｉで、出口ポート６へ向かう流れと、インペラ２とともにトンネル上のストリッパ部７内を通過して出口部７ｏから出て、入口ポート３から流入する流れに合流する流れに分けられる。
【００４０】
ここで、ストリッパ部７の入り口部コーナー７ｉの両側面にはアール（図中ｒ）を設けてあり、インペラ２の羽根がストリッパ部７に入っていく際に、周囲の空気が急激に圧縮され、その圧縮され方が羽根のピッチに同期して変動するため、周波数が回転数×羽根枚数で表されるｎＺ音やその高調波が発生するが、このアールにより周囲の空気が急激に圧縮されず、したがってｎＺ音も耳につかない程度に減衰される。
【００４１】
また、本実施例ではストリッパ部７の出口部コーナー７ｏの両側面においてもアールを設けてある。これは、インペラ２の羽根がストリッパ部７から出て行く際にも、周囲の空気の圧力変動が羽根のピッチに同期して生じ、周波数が回転数×羽根枚数で表されるｎＺ音やその高調波が発生するが、このアールにより周囲の空気が急激に圧縮されず、したがってｎＺ音も減衰されるためである。
【００４２】
また、本実施例ではインペラ２の両面の羽根取付位置を半ピッチずらしてあり、両面で発生するｎＺ音の相互干渉で、ｎＺ音の緩和を図っている。
【００４３】
（実施の形態２）
図５は、本発明の実施形態２を示すもので  本実施形態の構成中、実施形態１と共通の部分については説明を省略する。即ち、インペラ２の内周部からケーシング８の側面に向かって円筒状のつば９を延出する。これにより、インペラ２と気体の接触面積が増えるため、前述のような動作原理から、乱れ流動を促進して昇圧量を増加させる一方で、インペラ２の容積は実質的にほとんど増えないため、インペラ２と一緒にストリッパ部７を通り抜け、入口ポート３側に戻される風量が多くなることによる性能低下はわずかであり、総合的に風量増加が得られる。
【００４４】
また、ケーシング８に固定されたステータ１４の周囲をロータ部１１が回転するアウターロータモータのロータ部１１と、インペラ２の内周部からケーシング８側面に向かって延出した円筒状のつば９を一体に形成することにより、図１に見られるようなインペラのハブ部１２とケーシングの流路内周壁１３の２重構造が不要となり、流路面積を増やすことができるため、回転数あたりの風量を増やすことができる。
【００４５】
（実施の形態３）
図６は、本発明の実施形態３を示すものである。本実施形態の構成中、実施形態１と共通の部分については説明を省略する。即ち、インペラ２外周部中央からケーシング８外周内面に向かって円盤状につば１０を延出する。これにより、インペラと気体の接触面積が増えるため、前述のような動作原理から、乱れ流動を促進して昇圧量を増加させる一方で、インペラ２の容積は実質的にほとんど増えないため、インペラ２と一緒にストリッパ部７を通り抜け、入口ポート３側に戻される風量が多くなることによる性能低下はわずかであり、総合的に風量増加が得られる。
【００４６】
なお、本発明は、上記実施例の構成に限定されるものではなく、発明の要旨を逸脱しない範囲において適宜設計変更可能なことは勿論である。
【産業上の利用可能性】
【００４７】
以上のように、本発明の渦流ポンプは、送風時の騒音を低減することができるので、住環境に近い場所に置かれる空気調和機に用いるのはもちろん、各種プラントの送風機等への用途にも適用できる。
【図面の簡単な説明】
【００４８】
【図１】（ａ）は本発明の実施形態１における渦流ファンの正面一部断面図（ｂ）は同Ａ−Ａ断面における一部断面図（Ｃ）は同Ｂ−Ｂ断面における要部拡大断面図
【図２】本願発明の実施形態１にかかる渦流ファンにおけるｂ2／（ａ2＋ｂ2）に対する騒音対風量性能の変化を示す特性図
【図３】本願発明の実施形態１にかかる渦流ファンにおける（Ｄ−２ｂ2）／Ｄに対する騒音対風量性能の変化を示す特性図
【図４】本願発明の実施形態１にかかる渦流ファンにおけるｂ／（ｂ＋２ａ1）に対する騒音対風量性能の変化を示す特性図
【図５】（ａ）は本発明の実施形態２における渦流ファンの正面一部断面図（ｂ）は同Ａ−Ａ断面における一部断面図
【図６】（ａ）は本発明の実施形態３における渦流ファンの正面一部断面図（ｂ）は同Ａ−Ａ断面における一部断面図
【図７】（ａ）は従来例における渦流ファンの正面一部断面図（ｂ）は同Ａ−Ａ断面における一部断面図
【符号の説明】
【００４９】
１  羽根
２  インペラ
３  入口ポート
４  流路
５  翼間
６  出口ポート
７  ストリッパ部
８  ケーシング
９  つば
１０  つば
１１  ロータ部
１２  ハブ部
１３  流路内周壁
１４  ステータ部
【図１】
2005282578.tif 000003
【図２】
2005282578.tif 000004
【図３】
2005282578.tif 000005
【図４】
2005282578.tif 000006
【図５】
2005282578.tif 000007
【図６】
2005282578.tif 000008
【図７】
2005282578.tif 000009